(57)【要約】      （修正有）【課題】組立式三線の胴より猿尾を嵌合脱着可能とし、組立の際の調弦作業の負担を少なくできる組立式三線の猿尾を提供する。【解決手段】猿尾１に斜滑部、押圧部を設け、脱着時には押圧部を下方向に押圧することで弦１０を緩めることなく脱着を行い、嵌合させる場合には弦１０を掛留部に掛留させて猿尾１の先端を嵌合穴９に挿入し、斜滑部を嵌合穴９の上部入口に接触させ、接触点を支点として押圧部を下方向に押圧させ斜滑部をスライド挿入させることで、猿尾１を少ない力で嵌合穴９に挿入することが可能となる。【選択図】図２
0003151975.tif 000002
【実用新案登録請求の範囲】
【請求項１】
棹を分離させることにより少ない面積で収納可能な組立式三線の弦を掛留させる胴端部より突出させた猿尾において、胴より嵌合脱着が可能な組立式三線用の猿尾。
【請求項２】
前記猿尾は嵌合脱着を円滑に行うための斜滑部を有することを特徴とする請求項１に記載の組立式三線用の猿尾。
【請求項３】
前記猿尾は弦の張設時において、弦の張力により猿尾が嵌合穴から外れることを防止するための上部張力抵抗係留部および下部張力抵抗係留部を設けていることを特徴とする請求項１または２に記載の組立式三線用の猿尾。
【考案の詳細な説明】
【技術分野】
【０００１】
本考案は組立式三線用の猿尾に関する。特に、沖縄地方で用いられる三線（蛇皮線）の駒、及び日本本土で用いられる三味線の駒に関する。なお、本明細書において三線とは、三線及び三味線をいう。
【背景技術】
【０００２】
三線とは、沖縄県および奄美諸島で用いられる弦楽器であって、両面に蛇皮を張った木製の胴に棹が取り付けられ、この胴と棹にわたって張設された三本の絹糸からなる弦を演奏者が爪で弾いて楽曲を奏でるように構成されたものである。
【０００３】
この三線は、もともと中国から沖縄地方に伝えられ、その後日本本土に渡り、日本本土においては蛇皮の代わりに猫または犬の皮が張られて三味線として広く親しまれているものである。
【０００４】
この三線は本体の大部分を占める長い棹を有していた。
【０００５】
したがって、持ち運びに使用する専用の収納箱も長い棹を収めるため当然大きくなり、収納容器の面積を小さくして持ち運びの煩わしさを解消するために実用新案登録第３０８７１９０号に提示されているように、棹部分を分割着脱可能な構造にして小さなケースに収納を行えるように考案されたものがあった。
【考案の開示】
【考案が解決しようとする課題】
【０００６】
しかしながら、上述した実用新案登録第３０８７１９０号に提示されているような組立式三線は棹を分離させる際に弦を緩める必要があり、また三線を組み立てる際には弦を胴より突出している猿尾に掛留させ、弦を糸巻きにより張設し、音調節のための所謂調弦と呼ばれる作業を行う必要があった。
【０００７】
この調弦という作業は専門的な技術が要求され、大勢で演奏する際には全演奏者の音調を合わせる必要があり三線を習い始めたばかりの演奏者には調弦にはかなりの時間と負担がかかっていた。
【０００８】
そこで本願は上記の問題を解決するためのものであって、組立式三線において、専用収納箱への収納時の際には弦を緩めることなく猿尾から弦を外すことが可能で、組立の際には調弦の負担を少なくした状態で弦を張設することが可能な組立式三線用の猿尾を提供することを目的とする。
【課題を解決するための手段】
【０００９】
上記の目的を達成するため、請求項１において、本考案の猿尾は任意に三線の胴から嵌合脱着が可能な構成としている。
【００１０】
請求項２において、前記猿尾は嵌合脱着を容易にするための斜滑部を有し、この斜滑部は、脱着の際に嵌合穴の入口下端部を支点として押圧部を張設方向と反対に押下させた際に嵌合穴の入口上端とのスライドを円滑にするためのものである。また、この斜滑部は、猿尾に弦を掛留させた状態で、嵌合穴に猿尾を挿入する際には嵌合穴の入口上端とのスライドを円滑にし、少ない力で猿尾を嵌合穴に挿入させるためにも使用される。
【００１１】
請求項３において、前記張力抵抗係留部は前記猿尾が掛留部に弦を掛留させた状態で、胴の嵌合穴に挿入した場合に弦の張力により猿尾が嵌合穴から抜け出さないためのものであり、弦の引張する力が猿尾に設けられた２箇所の張力抵抗係留部にかかり引張する力に対して係留されることにより、猿尾が嵌合穴から抜け出すことが防止される。
【考案の効果】
【００１２】
以上に説明したとおり、本考案の猿尾は嵌合脱着機能を設けているので、組立式三線を専用箱に収納する際に、張設された弦を緩めることなく三線から外すことが可能となるので、再び箱から取り出し三線を組立てて弦を張設した際にも、前回演奏した際の調弦に近い状態で弦が張設されているので、わずかな調弦により演奏者が求める音調に調整が可能となる。
【００１３】
また、胴より猿尾を脱着させる際には押圧部を下向きに押すことにより、嵌合穴の入口下端部を支点として猿尾が斜めに下がり、斜滑部が嵌合穴の入口上端とのスライドを円滑にするので、少ない力で猿尾を胴より脱着させることが可能となる。
【００１４】
三線を組み立てる際には、猿尾に弦を掛留させた状態で、嵌合穴に猿尾を挿入する。この際、斜滑部を嵌合穴の上部入口に接触させ、接触点を支点として押圧部を下方向に押圧させ斜滑部をスライド挿入させることで、猿尾を少ない力で嵌合穴に挿入することが可能となる。
【００１５】
さらに、胴に猿尾を挿入し弦を張設させた場合には、弦の引張する力が猿尾に設けられた２箇所の張力抵抗係留部にかかり嵌合穴内に猿尾を係留させるため、嵌合穴より猿尾が抜けてしまうことが防止される。
【考案を実施するための最良の形態】
【００１６】
本考案の組立式三線用の猿尾は、組立式三線を専用箱に収納する際に弦を緩めることなく猿尾に設けられた押圧部を下方向に押すことにより、張設した弦を緩めることなく少ない力で胴より猿尾を脱着することが可能となっている。
【００１７】
脱着の際には押圧部を張設方向と反対に押下させると、嵌合穴の入口下端部を支点として猿尾が斜め下に下がり、猿尾に設けられた斜滑部が嵌合穴の入口上端とのスライドを円滑に行い、脱着が円滑に行われる。
【００１８】
三線を組み立てる際には、猿尾に弦を掛留させた状態で、嵌合穴に猿尾を挿入する。この際、斜滑部を嵌合穴の上部入口に接触させ、接触点を支点として押圧部を下方向に押圧させ斜滑部をスライド挿入させることで、猿尾を少ない力で嵌合穴に挿入することが可能となる。
【００１９】
猿尾に設けられた2箇所の張力抵抗係留部は前記猿尾が掛留部に弦を掛留させた状態で、胴の嵌合穴に挿入した場合において弦の引張する力が猿尾に設けられた２箇所の張力抵抗係留部にかかり、この結果、引張する力に対して猿尾が嵌合穴内で係留されることにより、猿尾が嵌合穴から抜け出すことが防止される。
【実施例１】
【００２０】
以下、本考案の実施の形態について、図を参照して説明する。図１は本考案の猿尾１の斜視図であり、図２は弦１０を掛留部２に掛留させ、猿尾１を嵌合穴９に挿入した断面図、図３は押圧部に下方向に力を加えて嵌合穴９から猿尾１を脱着させる断面図、図４は弦を掛留部２に掛留させた状態で嵌合穴９に猿尾１を挿入させる場合の断面図である。
【００２１】
図１に示す猿尾１は組立式三線７と同じ材料である黒木（黒壇）、あるいはチャーギ（イヌマキ）などの堅い木を加工して得られたものであり、好適には横幅４５ミリ、高さ１５ミリ、奥行き５ミリの寸法とし、掛留させた弦１０が外れないようにするための掛留部２、斜滑部３、上部張力抵抗係留部４、下部張力抵抗係留部５、押圧部６より構成されている。
【００２２】
猿尾１の上面における、斜滑部上端より好適には１０ミリ掛留部よりの領域が上部張力抵抗係留部４となっており、猿尾１の下面領域における、先端から好適には５ミリの領域を下部張力抵抗係留部５となっている。
【００２３】
斜滑部３は嵌合脱着の繰り返しによる磨耗を防止するためテフロン（登録商標）を付設することも可能である。また、斜滑部３の延長線と猿尾１底辺の延長線が交差する猿尾１先端部形状は好適には図２のように曲形状とするが、鋭角形状とすることも可能である。
【００２４】
胴８に設けられた猿尾１を挿入するための嵌合穴９は図２のように深さが好適には２５ミリに掘削されたものであり、猿尾１の先端が嵌合穴９の最奥部に接した状態で、上部張力抵抗係留部４が嵌合穴入口端よりはみ出さず、嵌合穴入口端より好適には５ミリの位置に掛留させた弦が外れないようにするための掛留部２がピンを猿尾１に貫通もしくは左右両面に突出させた状態で配設させている。
【００２５】
図２は弦１０を掛留部２に掛留させた状態で猿尾１を嵌合穴９に挿入した状態であり、弦１０の引張力が上部張力抵抗係留部４、下部張力抵抗係留部５にかかり、猿尾１を嵌合穴９に係留させ、嵌合穴９から抜け出すことが不可能な状態になっている。
【００２６】
本考案の組立式三線７を専用の収納箱に収納する場合には、図３に示すように、猿尾１の上面領域に設けられた押圧部６を下方向に押圧することにより嵌合穴９の入口下端部を支点として猿尾が斜め下に下がり、斜滑部３が嵌合穴９の入口上端とのスライドを円滑に行い、脱着が円滑に行われる。
【００２７】
嵌合穴９の入口下端部を支点として猿尾が斜め下に下げるので、わずかな力で猿尾１を嵌合穴９から脱着させることが可能となる。
【００２８】
また、組立式三線７を組み立てる場合には弦１０を掛留部２に掛留させ、図４に示すように、猿尾１の先端部分を嵌合穴９に挿入し、斜滑部３を嵌合穴９の上部入口に接触させ、接触点を支点として押圧部６を下方向に押圧させ斜滑部３をスライド挿入させることで、猿尾１を少ない力で嵌合穴９に挿入することが可能となる。
【図面の簡単な説明】
【００２９】
【図１】本考案の猿尾の斜視図である。
【図２】本考案の猿尾を組立式三線に嵌合装着させた状の断面図である。
【図３】本考案の猿尾を組立式三線から脱着する状態を表した断面図である。
【図４】本考案の猿尾を組立式三線に嵌合装着させる状態を表した断面図である。
【符号の説明】
【００３０】
１.猿尾
２.掛留部
３.斜滑部
４．上部張力抵抗係留部
５．下部張力抵抗係留部
６．押圧部
７．組立式三線
８．胴
９．嵌合穴
１０．弦
【図１】
0003151975.tif 000003
【図２】
0003151975.tif 000004
【図３】
0003151975.tif 000005
【図４】
0003151975.tif 000006
【手続補正書】
【提出日】平成21年5月12日(2009.5.12)
【手続補正１】
【補正対象書類名】実用新案登録請求の範囲
【補正対象項目名】全文
【補正方法】変更
【補正の内容】
【実用新案登録請求の範囲】
【請求項１】
棹を分離させることにより少ない面積で収納可能な組立式三線の弦を掛留させる、胴の端部より突出させた猿尾において、猿尾は、前記胴に設けた嵌合穴に挿入脱着自在で、断面形状が四角形であり、その上下面に水平面を有し、嵌合穴とのスライドを円滑に行うための斜滑部を上面水平面に有することを特徴とする、組立式三線用の猿尾。
【請求項２】
前記猿尾は、嵌合穴の入口下端部を支点として下方向へ押圧することにより猿尾を嵌合穴より脱着させるための押圧部を上面領域に設けたことを特徴とする、請求項１に記載の組立式三線の猿尾。
【請求項３】
前記猿尾は、弦を掛留させるための掛留部を嵌合穴の入口端より離れた位置に設けたことを特徴とする、請求項２に記載の組立式三線の猿尾。
【手続補正２】
【補正対象書類名】明細書
【補正対象項目名】０００９
【補正方法】変更
【補正の内容】
【０００９】
上記の目的を達成するため、請求項１において、本考案の組立式三線の猿尾は、棹を分離させることにより少ない面積で収納可能な組立式三線の弦を掛留させる、胴の端部より突出させた猿尾において、猿尾は、前記胴に設けた嵌合穴に挿入脱着自在で、断面形状が四角形であり、その上下面に水平面を有し、嵌合穴とのスライドを円滑に行うための斜滑部を上面水平面に有する構成としている。
【手続補正３】
【補正対象書類名】明細書
【補正対象項目名】００１０
【補正方法】変更
【補正の内容】
【００１０】
請求項２において、前記猿尾は、嵌合穴の入口下端部を支点として下方向へ押圧することにより猿尾を嵌合穴より脱着させるための押圧部を上面領域に設けた構成としている。
【手続補正４】
【補正対象書類名】明細書
【補正対象項目名】００１１
【補正方法】変更
【補正の内容】
【００１１】
請求項３において、前記猿尾は、弦を掛留させるための掛留部を嵌合穴の入口端より離れた位置に設けた構成としている。